(57)【要約】【課題】大型化せず、簡単な構成で、装置のコストアップを抑えることができ、生ごみ等の廃棄物の投入時に投入口からの臭気が、周囲へ拡散するのを防止することが可能となる廃棄物処理装置を提供する。【解決手段】処理槽へ廃棄物を投入する投入口を備えた廃棄物処理装置は、つぎの（１）〜（３）の各構成を有している。（１）前記投入口の一方の側に設けられ、前記投入口上部を覆って前記処理槽外への臭気の拡散を防ぐエアーカーテン気流を吹出す吹出し口。（２）前記吹出し口に前記エアーカーテン気流を形成するための空気を送風する送風機。（３）前記吹出し口と対向する前記投入口の他方の側に設けられ、前記エアーカーテン気流を吸引する吸引口。【選択図】            図１
2007069168.tif 000002
【特許請求の範囲】
【請求項１】
処理槽へ廃棄物を投入する投入口を備えた廃棄物処理装置であって、
前記投入口の一方の側に設けられ、前記投入口上部を覆って前記処理槽外への臭気の拡散を防ぐエアーカーテン気流を吹出す吹出し口と、
前記吹出し口に前記エアーカーテン気流を形成するための空気を送風する送風機と、
前記吹出し口と対向する前記投入口の他方の側に設けられ、前記エアーカーテン気流を吸引する吸引口と、
を有することを特徴とする廃棄物処理装置。
【請求項２】
前記吹出し口と送風機の間には、前記空気を整流化する空気整流化手段が設けられていることを特徴とする請求項１に記載の廃棄物処理装置。
【請求項３】
前記吸引口から吸引したエアーカーテン気流を前記吹出し口に循環させる循環ダクトを有することを特徴とする請求項１または請求項２に記載の廃棄物処理装置。
【請求項４】
前記循環ダクトには、循環送風機が設けられていることを特徴とする請求項１〜３のいずれか１項に記載の廃棄物処理装置。
【請求項５】
前記吸引口には、循環送風機が設けられていることを特徴とする請求項１〜３のいずれか１項に記載の廃棄物処理装置。
【請求項６】
前記循環送風機は、前記エアーカーテン気流を形成するための空気を送風する送風機を兼ねていることを特徴とする請求項４または請求項５に記載の廃棄物処理装置。
【請求項７】
前記処理槽は外装カバーを備え、該外装カバーの一部が前記吹出し口または前記吸引口または前記循環ダクトの少なくとも一つの構成部を兼ねていることを特徴とする請求項１〜６のいずれか１項に記載の廃棄物処理装置。
【請求項８】
前記廃棄物処理装置は前記処理槽内の気体を該処理槽外へ排気する排気口を備え、該排気口側に前記吸引口が設けられていることを特徴とする請求項１〜７のいずれか１項に記載の廃棄物処理装置。
【請求項９】
前記廃棄物処理装置は前記投入口を開閉する投入蓋と、該投入蓋の開閉を検知する投入蓋開閉検知手段とを備え、
該投入蓋の開閉に応じて前記送風機の駆動を制御する送風機制御手段が設けられていることを特徴とする請求項１〜８のいずれか１項に記載の廃棄物処理装置。
【請求項１０】
前記送風機制御手段は、前記投入蓋を開けた時に前記送風機を駆動し、前記投入蓋を閉じた時に前記送風機を停止させることを特徴とする請求項９に記載の廃棄物処理装置。
【請求項１１】
前記循環ダクトには、前記エアーカーテン気流を脱臭する脱臭手段が設けられていることを特徴とする請求項３〜１０のいずれか１項に記載の廃棄物処理装置。
【請求項１２】
前記廃棄物処理装置は前記投入口を開閉する投入蓋と、該投入蓋の開閉を検知する投入蓋開閉検知手段とを備え、
該投入蓋の開閉に応じて前記吹出し口と前記吸引口に設けられたシャッターの開閉を制御するシャッター開閉制御手段が設けられていることを特徴とする請求項１〜１１のいずれか１項に記載の廃棄物処理装置。
【請求項１３】
前記シャッター開閉制御手段は、前記投入蓋を開けた時に前記吹出し口と前記吸引口のシャッターを開き、前記投入蓋を閉じた時に前記吹出し口と前記吸引口のシャッターを閉じることを特徴とする請求項１２に記載の廃棄物処理装置。
【請求項１４】
前記投入蓋を回転自在に軸支する回転軸部を備え、該回転軸部と対向する側に前記吹出し口が設けられ、該回転軸部側に前記吸引口が設けられていることを特徴とする請求項９〜１３のいずれか１項に記載の廃棄物処理装置。
【請求項１５】
前記投入蓋を回転自在に軸支する回転軸部を備え、該回転軸部が前記循環ダクトの構成部を兼ねることを特徴とする請求項９〜１４のいずれか１項に記載の廃棄物処理装置。
【発明の詳細な説明】
【技術分野】
【０００１】
この発明は、生ごみ投入時に投入口から立ちのぼる臭気が、廃棄物処理装置の周囲へ拡散することを防止するようにした廃棄物処理装置に関するものである。
【背景技術】
【０００２】
近年、生ごみ等の廃棄物処理手段として、微生物の力を利用した廃棄物処理装置が知られている。
この廃棄物処理装置は、処理槽内に廃棄物を分解処理させるため微生物を含む基材が充填してあり、投入蓋を開いて処理槽に設けた投入口から廃棄物を処理槽内に投入し、基材中に生息する微生物の働きで廃棄物を分解処理するようになっている。
これによると、廃棄物が上記した微生物の働きによる分解によって、水分（水蒸気）と炭酸ガスになり、排気装置により廃棄物処理装置外へ排気ガスとして排出される。その排気ガス中には、水蒸気や炭酸ガスと共に、投入された廃棄物の臭気や、廃棄物が微生物分解されることに伴う臭気を含んでおり、それらの臭気は一般に悪臭である。したがって、廃棄物処理装置の投入口から新たに生ごみ等の廃棄物を投入する際等において、投入口からの臭気を拡散させ周辺環境を悪化させる等の問題を有していた。
【０００３】
このようなことから、例えば、特許文献１のように、生ごみの投入口にエアーカーテンを形成し、臭気の拡散を防止するようにした生ごみ処理機が提案されている。
これによると、図１４に示すように、生ごみ処理機１０１の投入口１０６にエアーカーテンを形成するための空気を送風するエアーノズル１６１が設けられ、このエアーノズルによるエアーカーテン１６３によって、臭気の外部への拡散の防止が図られている。
また、装置の内部を外気と遮断するため、例えば、特許文献２のように、空気壁を作り、装置の内部を外気と遮断するようにした乾燥装置が提案されている。
この装置では、図１５に示すように、送気ダクトの空気噴出口２３１から空気を噴出させ、還気ダクトの空気吸込口２３２から吸込んで空気を循環させつつ空気壁を作り、装置の内部を外気と遮断するように構成されている。
【特許文献１】特開平１０−１９２８２４号公報
【特許文献２】特公平７−１２９９７号公報
【発明の開示】
【発明が解決しようとする課題】
【０００４】
しかしながら、上記従来例における特許文献１の生ごみ処理機では、つぎのような問題を有している。前述したように、この生ごみ処理機１０１には投入口１０６にエアーカーテンを形成するための空気を送風するエアーノズル１６１が設けられている。しかしながら、この生ごみ処理機１０１には送風した空気を吸い込む吸引口を備えられていないことから、エアーノズルにより送風された空気が処理槽の壁などに衝突して生じる乱気流によって、処理槽内の臭気を処理槽外へ拡散してしまう恐れがあった。
【０００５】
また、上記従来例における特許文献２の乾燥装置においても、つぎのような問題を有している。すなわち、この装置では前述したようにエアーカーテンを形成するための専用の送気ダクトと空気を循環する還気ダクトが必要である。そのため、ダクト部品の増加によるコストアップや、ダクトを設けるスペースも必要となることから装置が大型化してコストアップとなる。
また、上記以外にも、例えば、排気の流量を増加させて、投入蓋を開けた際に投入口から漏れ出す臭気を抑える手法も採り得るが、排気の流量を増加させるためには排気ファンや脱臭能力を大きくする必要があり、得策ではない。
【０００６】
本発明は、上記課題に鑑み、大型化せず、簡単な構成で、装置のコストアップを抑えることができ、生ごみ等の廃棄物の投入時に投入口からの臭気が、周囲へ拡散するのを防止することが可能となる廃棄物処理装置を提供することを目的とするものである。
【課題を解決するための手段】
【０００７】
本発明は上記課題を解決するため、つぎのように構成した廃棄物処理装置を提供するものである。
すなわち、本発明の処理槽へ廃棄物を投入する投入口を備えた廃棄物処理装置は、つぎの（１）〜（３）の各構成を有することを特徴としている。
（１）前記投入口の一方の側に設けられ、前記投入口上部を覆って前記処理槽外への臭気の拡散を防ぐエアーカーテン気流を吹出す吹出し口。
（２）前記吹出し口に前記エアーカーテン気流を形成するための空気を送風する送風機。
（３）前記吹出し口と対向する前記投入口の他方の側に設けられ、前記エアーカーテン気流を吸引する吸引口。
また、本発明においては、前記吹出し口と送風機の間に、前記空気を整流化する空気整流化手段を設けた構成とすることができる。
また、本発明においては、前記吸引口から吸引したエアーカーテン気流を前記吹出し口に循環させる循環ダクトを有する構成とすることができる。
また、本発明においては、前記循環ダクトに、循環送風機を設けた構成とすることができる。
また、本発明においては、前記吸引口に、循環送風機を設けた構成とすることができる。また、本発明においては、前記循環送風機は、前記エアーカーテン気流を形成するための空気を送風する送風機を兼ねた構成とすることができる。
また、本発明においては、前記処理槽は外装カバーを備え、該外装カバーの一部が前記吹出し口または前記吸引口または前記循環ダクトの少なくとも一つの構成部を兼ねた構成とすることができる。
また、本発明においては、前記廃棄物処理装置は前記処理槽内の気体を該処理槽外へ排気する排気口を備え、該排気口側に前記吸引口が設けられた構成とすることができる。
また、本発明においては、前記廃棄物処理装置は前記投入口を開閉する投入蓋と、該投入蓋の開閉を検知する投入蓋開閉検知手段とを備え、投入蓋の開閉に応じて前記送風機の駆動を制御する送風機制御手段が設けられた構成とすることができる。
また、本発明においては、前記送風機制御手段は、前記投入蓋を開けた時に前記送風機を駆動し、前記投入蓋を閉じた時に前記送風機を停止させるように構成することができる。
また、本発明においては、前記循環ダクトに、前記エアーカーテン気流を脱臭する脱臭手段を設けた構成とすることができる。
また、本発明においては、前記廃棄物処理装置は前記投入口を開閉する投入蓋と、該投入蓋の開閉を検知する投入蓋開閉検知手段とを備え、投入蓋の開閉に応じて前記吹出し口と前記吸引口に設けられたシャッターの開閉を制御するシャッター開閉制御手段が設けられた構成とすることができる。
また、本発明においては、前記シャッター開閉制御手段は、前記投入蓋を開けた時に前記吹出し口と前記吸引口のシャッターを開き、前記投入蓋を閉じた時に前記吹出し口と前記吸引口のシャッターを閉じるように構成することができる。
また、本発明においては、前記投入蓋を回転自在に軸支する回転軸部を備え、該回転軸部と対向する側に前記吹出し口が設けられ、該回転軸部側に前記吸引口が設けられている構成とすることができる。
また、本発明においては、前記投入蓋を回転自在に軸支する回転軸部を備え、該回転軸部が前記循環ダクトの構成部を兼ねた構成とすることができる。
【発明の効果】
【０００８】
本発明によれば、大型化せず、簡単な構成で、装置のコストアップを抑えることができ、生ごみ等の廃棄物の投入時に投入口からの臭気が、周囲へ拡散するのを防止することが可能となる廃棄物処理装置を実現することができる。
【発明を実施するための最良の形態】
【０００９】
本発明によれば、上記したように大型化せず、簡単な構成で、生ごみ等の臭気が、周囲へ拡散するのを防止することが可能となる廃棄物処理装置を実現することができるが、本発明の実施の形態においては、具体的にはつぎのように構成することができる。
本実施の形態においては、廃棄物処理装置として、例えば、図１、図２、図４等に示すように構成することができる。
すなわち、処理槽１０と、廃棄物の投入口２２と、投入口を開閉する投入蓋２１と、処理槽内の気体を処理槽外へ排気する排気口１８と、を備えた廃棄物処理装置を構成することができる。
この投入口２２の一方の側には吹出し口４７が設けられており、投入口２２上部を覆って前記処理槽外への臭気の拡散を防ぐエアーカーテン気流を吹出すように構成されている。このエアーカーテン気流は、送風機４６によって空気を投入口２２に送風することにより形成される。
また、吹出し口４７と対向する投入口の他方の側には、前記エアーカーテン気流を吸引する吸引口４８が設けられている。
本実施の形態においては、この吹出し口４７から吹出されたエアーカーテン気流は、吸引口４８により吸引され、循環ダクト５４を介して吹出し口４７に循環させるように構成される。
これにより、吸引口４８から吸引された空気は、循環ダクト５４を介して吹出し口４７に循環され、投入口２２から漏れ出た臭気がエアーカーテン気流に混ざっても、周囲へ拡散することを防止することができる。
上記した本実施の形態によれば、簡単な構成で、装置のコストアップを抑えることができ、生ごみ等の廃棄物の投入時に投入口から立ちのぼる臭気が、周囲へ拡散するのを防止することができる。
また、生ごみ処理機を設置した周囲の環境を良好に保てると同時に、衛生的で使い勝手の良い廃棄物処理装置を実現することができる。
【００１０】
以下に、図を用いて本発明の実施の形態における廃棄物処理装置の構成について、更に具体的に説明する。
図１は、本発明の実施の形態における廃棄物処理装置の外装カバー装着時の概略斜視図でありる。
図２は本発明の実施の形態における廃棄物処理装置の構成を示す概略斜視図である。
また、図３は図２のＡ視からみた廃棄物処理装置の概略断面図である。
図４は廃棄物処理装置を上面からみたときの通気経路を示す模式図である。
【００１１】
図１〜図４において、１は動力源の正逆回転する駆動モーター、２は駆動モーター１の出力軸先端に固定された小スプロケット、３は小スプロケット２とかみ合うチェーン、４はチェーン３とかみ合う大スプロケットである。
５は廃棄物を撹拌する撹拌羽根、６は撹拌羽根５を回転させる撹拌軸、７は撹拌軸６を支持する軸受けである。
本実施の形態の撹拌手段は、以上の各部材によって構成されている。
また、８は廃棄物処理装置を覆う枠体としての外装カバー、１０は外装カバー８内に設けられ廃棄物を処理するための（廃棄物）処理槽である。
この処理槽１０は、互いに対向して設けられた一対の側壁としての処理槽の右側板１４および処理槽の左側板１５と、この一対の側壁間に横設された槽部１０ａにより構成されている。
１１（１１ａ、１１ｂ）は処理槽１０を複数の槽（１０ｂ、１０ｃ、１０ｄ）に仕切るための仕切り板である。
処理槽１０の下部には、処理槽１０を加熱する加熱手段としての面状ヒーター９が設けられる。１２は廃棄物を分解処理させるための基材、１３は廃棄物の分解処理状態を基材の含水率で検知する基材含水率検知センサーである。
【００１２】
１６は微生物への空気の供給と分解処理で生成する水分と炭酸ガスの排気を行う排気ファン、１７は処理槽１０内へ外気を取り込む吸気口、１８は処理槽１０内で発生した炭酸ガスを排出する排気口である。
また、１９は処理槽１０の投入蓋２１に取付けたマグネット、２０は投入蓋２１に付けたマグネットを検知する投入蓋開閉検知センサー、２１は投入蓋、２２は廃棄物を投入する投入口である。
２３は全体を制御する制御部、２４は通気口、２５は処理槽１０内から発生する粉塵を取り除く除塵フィルタ、２６（２６ａ、２６ｂ、２６ｃ）は処理槽１０内の排気口と外気を連通する排気ダクトである。
、２７は処理槽１０から発生する臭気を帯びた空気を触媒ヒーター２７ａにより加熱し、酸化触媒２７ｂを用いて脱臭する脱臭手段としての脱臭部、２８は脱臭部２７の出口温度を検知する温度センサーである。
【００１３】
また、２９は外装カバー８の上部に設けた外気取り入れ口、３１は外気取り入れ口から取り入れた外気の流れを強制的に作る通気ファン、３０は廃棄物処理装置を覆う枠体としての外装カバー８の一部である底板である。
３２は処理槽１０内に設けられた排気ダクト２６ａの外側に配置され処理槽１０内の気体の循環通路を構成するダクト、３３は処理槽１０内の気体をダクト３２に吸い込む気体の吸い込み口、３４は処理槽１０内の気体を循環する循環ファンである。
また、３５は処理槽１０で廃棄物を処理後の分解残渣を排出させる排出口、４０は排出口３５を開閉する排出蓋、４１は処理槽１０の排出蓋４０に取付けたマグネット、４２は排出蓋４０に付けたマグネットを検知する排出蓋開閉検知センサーである。
４３は排出口３５に連通して設けられた処理物搬送ガイド、４４は排出蓋４０をカバーする排出カバー、４５は排出カバー４４をロックする施錠部である。
【００１４】
また、３６はダクト３２内を仕切る隔壁３８によって区画された外気の吸気通路における処理槽１０内への吸気を加熱する吸気熱交換部であり、３７はダクト３２内に設けられた処理槽１０内を循環する気体を加熱する循環熱交換部である。
また、３９はダクト３２内を仕切る隔壁３８によって区画された外気の吸気通路へ外気を取り込む外気口である。
また、４６はエアーカーテン気流を形成するために空気を送風する送風機、４７はエアーカーテン気流の吹出し口、４８はエアーカーテン気流の吸引口、４９は送風機４６で送風された空気を整流化する整流ノズルである。
５０は外装カバー８の一部である左上面外装カバーであり、５１は左上面外装カバー５０の側壁である。５２は外装カバー８の一部である右上面外装カバーであり、５３は右上面外装カバー５２の側壁である。
５４は吸引口４８からの気流を吹出し口４７に循環するエアーカーテン気流の循環ダクトであり、５５はエアーカーテン気流を循環させる循環送風機であり、５６は吹出し口４７及び吸引口４８に設けられたシャッターである。
【００１５】
つぎに、上述のように構成された廃棄物処理装置の動作等について説明する。処理槽１０は中央に正逆回転する撹拌軸６を有し、中に基材１２が入っている。基材１２は、生分解し難い繊維素が主成分のおが屑でその一粒一粒が多孔質で吸水性と空隙を有し、かつ粒形が複雑で粒子間にも大きな空隙が形成されている。この空隙により処理生物への空気が供給できることで、廃棄物の分解処理の効率が向上する。また、このときの混合物中の廃棄物を分解する処理生物は、好気性の微生物や菌である。
また、処理槽１０の中の基材１２は、おが屑以外のそば殻やもみ殼などであっても、空隙を保てて、処理生物への空気を供給できることから、基材１２として好適である。
また、基材１２は本実施の形態においては、生分解されにくい繊維質のおが屑を用いているが、空隙を保てて、処理生物への空気供給できる機能を有するセラミックであっても良い。あるいは、生ごみだけを廃棄物処理装置で処理した処理物を種の基材とした基材１２を使用しても、既に処理生物が活性状態で生息あるいは休眠していることから、基材１２として好適である。
【００１６】
運転中の廃棄物処理装置の投入蓋２１を開けると、投入蓋２１のマグネット１９を検知していた投入蓋開閉検知センサー２０は、投入蓋２１が開かれたと判断し、撹拌中であれば駆動モーター１が停止し攪拌を中止する。
ここで、投入蓋２１に取り付けたマグネット１９と投入蓋開閉検知センサー２０とを備える投入蓋開閉検知手段は、処理槽１０に取り付けた磁気に反応する磁気センサーで構成されている。これは、投入蓋２１に突部を設け、その突部を処理槽１０側に取り付けた光学センサーで検知するようにしても良い。
また、投入蓋開閉検知センサー２０は、本実施の形態においては、非接触式の磁気検知センサーを用いているが、機械式マイクロスイッチであってもよい。
また、投入蓋開閉検知センサー２０の取り付け位置は、投入蓋２１側あるいは処理槽１０側あるいは投入蓋２１と処理槽１０のどちらか一方に検知センサーを取り付け、他方に検知部材を取り付けても可能である。
【００１７】
つぎに、廃棄物投入後の撹拌運転について説明する。
廃棄物投入後の駆動モーター１による撹拌運転は、例えば通常は３０分周期の間に５分間だけ正逆撹拌を行うが、廃棄物が投入された直後は、すぐに撹拌を開始する。例えば、３０分周期の間に１０分間正逆撹拌をすることで、投入された廃棄物を細かく破砕すると共に、基材１２とまんべんなく混合できる。
また、正逆回転を行うことにより、投入された廃棄物が撹拌羽根５に絡みつくことを防ぐことができる。
更に、撹拌は基材１２と廃棄物の混合の効果以外にも、撹拌することで混合物の温度の一定化と、混合物中に含まれる水分を積極的に混合物の外部へ飛ばすことが可能となることで、混合物の含水率を調整することが可能となる。
また、投入された廃棄物は、２４時間以内で分解処理できることから、廃棄物が２４時間以上投入されないときは、撹拌サイクルを５分間撹拌の５５分間停止にすることで、撹拌に要する駆動モーター１への電力供給を削減でき、省電力化が可能となる。
また、本実施の形態において、撹拌羽根５は、断面が棒状であり、撹拌軸６に複数枚所定の間隔で取り付けられる構成であるが、撹拌軸６に平板状の撹拌羽根５を複数枚所定の間隔で取り付けても可能である。
この他にも撹拌軸６に断面が３角形状の撹拌棒を複数枚所定の間隔で取り付けても良い。
【００１８】
ここで処理槽１０の断面形状は、基材１２の全体が均一に軽い作用で撹拌されるように図１乃至図４に示すように、ほぼ半円以上の円弧部を有する略Ｕ字形状になっている。そして、円弧部の円弧の中心と一致して水平方向に撹拌軸６が設けられている。
この撹拌軸６には撹拌羽根５が複数枚所定の間隔で固定されている。なお、本実施の形態では、処理槽１０に撹拌軸６を横架させているが、処理槽を略円筒状とし撹拌軸６が処理槽１０に鉛直方向に設けられても良い。
また、このとき撹拌により、水分と炭酸ガスが撹拌停止時以上に発生することから、排気ファン１６の排気流量を増加し、吸気口１７からの空気の供給と同時に、分解で発生する水分と炭酸ガスを処理槽１０の外部へと排出する。
これにより、処理槽１０内の混合物が多湿気味になることが防止でき、混合物の含水率を調整することが可能となる。
また、このときの排気ファン１６の取り付け位置は、本実施の形態では、排気口１８に連通する脱臭部２７を通過後、排気ダクト２６内に排気ファン１６を取り付けているが、代わりに吸気口１７にファンを取り付けて吸い込ませても同様の結果が得られる。
【００１９】
また、吸気口１７に取り付けるファンは、処理槽１０内に約４０℃から約７０℃に加熱した空気を送ることのできる熱風ファンでもよい。
吸気口１７に熱風ファンを取り付けることにより処理槽１０内の気体の温度を上昇させることができる。
処理槽１０内の気体の温度が上昇することで気体に含まれる飽和水分量が増すことから、時間あたりの通気流量が同じであれば、短時間で混合物中の水分をより多く処理槽１０から外へ出すことができる。
吸気口１７への熱風ファンの取り付けは、混合物が多湿気味になるときに混合物の含水率を調整する手段として有効である。
また、排気口１８と連通する排気ダクト２６内に排気ファン１６を設け、かつ吸気口１７に熱風ファンを設ける構成にすることでも上記と同様の結果が得られる。
【００２０】
このようにして、１槽目の処理槽１０ｂに投入された廃棄物と基材１２がまんべんなく混合されて分解処理が始まる。
１槽目の処理槽１０ｂで分解処理された処理物が増えてくると処理槽１０内に設けられた仕切り板１１ａ、１１ｂからオーバーフローし、処理物は２槽目の処理槽１０ｃ、３槽目の処理槽１０ｄに、順次移動する。
そして３槽目の処理槽１０ｄに処理物が蓄積されると、排出口３５から処理物を回収することができる。本実施の形態では、仕切り板１１により処理槽１０を３槽に仕切られているが、２槽あるいは４槽以上に仕切っても良い。
さらに、基材含水率検知センサー１３で測定した結果に応じて撹拌運転時間を制御することも可能である。例えば、撹拌の間欠運転時間を通常は、３０分周期の間に５分間撹拌していたのを、基材状態が乾燥気味の時は、３０分周期の間に２分間とする。
これにより、必要充分な撹拌時間として撹拌過多により基材１２が破砕されるのを防ぎ基材１２の寿命を伸ばすことができる。
【００２１】
また、基材含水率検知センサー１３で測定した結果に応じて、撹拌サイクルと排気流量を調整することで、基材と廃棄物の混合物の含水率を調整することが可能となる。
処理槽１０内が多湿気味になると、嫌気性の菌が増殖し、硫化水素等を発生し、臭気状態が悪臭となることから、基材１２と廃棄物の混合物を含水率２０％から６０％の範囲内に調整することが望ましい。
また、水分が多くなると、撹拌に必要なトルクが大きくなり、動力に無理が生じたり、基材１２が微粉化されているときは、水分を含むと粘土状になりやすい傾向がある。
基材１２が粘土状になると、分解効率が極端に低くなることから、このようなときには、全量または半分以上の基材１２の交換が必要となる。
【００２２】
また、このときの廃棄物の分解処理状態を基材の含水率で検知する基材含水率検知センサー１３は、つぎのような抵抗方式による。
すなわち、１対の電極を直接処理槽１０内の基材１２に接触させ、１対の電極間に電圧を印加して、基材１２間を流れる電流を測定し、基材１２の含水率を測定する。
ここで、基材１２と廃棄物の混合物は、投入される廃棄物である生ごみの種類により弱アルカリ性や弱酸性に変わることから、抵抗方式における、混合物に直接接触する電極を構成する材質は、耐酸性、耐アルカリ性に優れたステンレス材を使用すると良い。
本実施の形態では、汎用性があり、価格の安いステンレス材のネジを電極として使用している。
また、基材含水率検知センサー１３はヒーターとサーミスタを組み合わせた熱容量方式で有っても良い。
あるいは、基材含水率検知センサー１３は処理槽１０を加熱する加熱手段としての面状ヒーター９と面状ヒーター９の温度を測定する温度センサー２８で構成され、処理槽加熱制御に用いられるものをそのまま使用する構成であっても良い。基材１２と廃棄物の混合物は、含水率が大きい場合、熱伝導性が低下する。熱伝導性が低下した状態で処理槽１０内の温度を制御する場合、その所要時間が長くなる。
これにより、面状ヒーター９の温度が予め設定された温度閾値に達した後において、面状ヒーター９を作動させたとき或はその作動を停止させたときの、前記温度センサー２８の出力変化から、前記廃棄物を含む基材１２の含水状態等を測定できる。
処理槽加熱制御と基材含水率検知センサーを兼ねることで、従来の装置では別途に設けられていた基材含水率検知センサー１３を設置する必要がなくなり、装置のコストダウンや省スペース化を図ることができる。
【００２３】
つぎに、廃棄物投入が中断したり、投入量が低下したときには、撹拌等によって基材１２が乾燥しすぎるときがある。
このときには、基材１２中の微生物が乾燥によって活性化が鈍り処理効率が低くなるばかりではなく、基材１２が微粉化したときには飛散したりして、周囲を汚すという欠点がある。
また、このとき微粉末に混入している菌も飛散することから、安全衛生上好ましくない。
このようなとき、排気口１８に設けた除塵フィルタ２５により微粉末を外部に出さないようにすることで上記欠点を補うことができる。
また、除塵フィルタ２５は排気口１８に機械的に係合または蝶ネジやパチン錠で固定されていることで、器具を使用しないで人手にて取り外すことができる。
除塵フィルタ２５を取り外せることで、除塵フィルタ２５にとりついた基材の微粉末を容易に清掃することが可能である。
更に、処理槽１０から発生する臭気を帯びた空気は、脱臭部２７で触媒ヒーター２７ａにより加熱され、酸化触媒２７ｂを用いて脱臭されて排気ダクト２６を通して処理機外へ排気される。
【００２４】
本実施の形態では、図１〜図４のように、脱臭部２７は処理槽１０の右側板１４近傍に設けられている。
この処理槽１０内に脱臭部２７通過後の排気を通す槽内配管としての排気ダクト２６ａが配設されている。
また、処理槽の左側板１５に槽外配管としての排気ダクト２６ｂが配設されている。
また、処理槽１０の下側に槽外配管としての排気ダクト２６ｃが配設されている。これらにより、排気ファン１６を通して外気へ放出する構成が採られている。また、処理槽１０内に設けられた排気ダクト２６ａの外側に、通気路を構成するダクト３２を設けられている。
また、ダクト３２内を仕切る隔壁３８によって仕切られた一方の通気路に処理槽内への吸気を加熱する吸気熱交換部３６と、もう一方の通気路に槽内を循環する気体を加熱する循環熱交換部３７が設けられている。
また、吸気熱交換部３６は外気を取り込む外気口３９と、他端に処理槽１０内に吸気する吸気口１７を設け、処理槽１０内への吸気を加熱する構成とされている。
また循環熱交換部３７は処理槽１０内の気体をダクト３２に吸い込む気体の吸い込み口３３と、他端に処理槽１０内の気体を循環する循環ファン３４を設けて、処理槽１０内の気体を循環する構成とされている。
【００２５】
このような構成にすることで、吸気熱交換部３６では外気口３９から吸気された外気が、脱臭部２７から発生した高温（２８０℃前後）の空気と熱交換されて処理槽１０内へと加熱吸気される。
また循環熱交換部３７では循環ファン３４によって吸い込まれた処理槽１０内の気体が、脱臭部２７から発生した高温（２８０℃前後）の空気と熱交換されて処理槽１０内の気体を加熱することができる。
さらに循環ファン３４によって処理槽１０内の気体が循環されることにより、処理槽１０内の気体温度が上昇し基材１２及び処理物からの水分蒸発が促される。
【００２６】
ここで、処理槽１０内の気体１ｍ3当たりに含まれる水分量が増えたことによって、一定量の水分（水蒸気）を処理槽１０外へ放出すれば良い場合には、つぎのようにすることが可能となる。
すなわち、処理槽１０内の気体１ｍ3当たりに含まれる水分量が増えた分、脱臭部２７を通過させるこれらの水分（水蒸気）を含む処理槽１０からの排気量を少なくすることが可能となる。
したがって、設計時に排気能力が小さく消費電力の小さな排気ファンを選定することができる。
また、排気量を少なくできることから触媒ヒータ２７ａによる加熱時間を少なくして消費電力を低減することができ、電気代の削減が可能である。
理想的には、処理槽１０内の気体の飽和水蒸気量まで含ませる（相対湿度で１００％まで）ことができれば、最も効率の良い水分（水蒸気）排出が可能となる。
【００２７】
本実施の形態における脱臭部２７は、白金合金などの酸化触媒２７ｂの上流側に、触媒ヒーター２７ａを配置し、触媒ヒーター２７ａを通過する排気ガスを所定の温度（この場合２８０℃程）まで加熱し、酸化触媒２７ｂに接触させて脱臭する。
この時、触媒ヒーター２７ａが排気ガスの昇温に必要とする電力は、概略、処理槽１０から排気される排気ガスの流量に比例し、排気ガスの流量が少なくてよい場合は、触媒ヒーター２７ａによる供給する電力量は少なくてすむ。
【００２８】
本実施の形態においては、以上の説明から明らかなように、処理槽１０内に設けられた排気ダクト２６ａの外側に処理槽１０内の気体の循環通路を構成するダクト３２が設けられる。
このダクト３２内を仕切る隔壁３８によって仕切られた一方の通気路に吸気熱交換部３６を設けられ、外気口３９から吸気された外気が、脱臭部２７から発生した高温（２８０℃前後）の空気と熱交換されて処理槽１０内へと加熱吸気される。
これにより、処理槽１０内は吸気した外気により混合物が冷やされることがなくなり、廃棄物の分解が効率良く進む。
さらに、ダクト３２内を仕切る隔壁３８によって仕切られた他方の通気路に循環熱交換部３７が設けられ、処理槽１０内の気体をダクト３２に吸い込む気体の吸い込み口３３と、他端に処理槽１０内の気体を循環する循環ファン３４を設けられる。
これにより、処理槽１０内の気体を循環し、水分排出量を向上させた分、これらの水分（水蒸気）を含む排気ガスの流量を下げることが可能となる。つまり、消費電力の小さな排気ファンを採用することが可能であるとともに、触媒ヒーター２７ａによる加熱時間を少なくして脱臭部２７の消費電力の低減化を図ることができる。
さらに、脱臭部２７から発生した高温（２８０℃前後）の排気ガスを排気ダクト２６ａを通した後、排気ダクト２６ｂ，２６ｃに通すことにより処理槽１０内に熱を還元することができ、脱臭部２７で与えた熱をまんべんなく利用できる。
また、排気ダクト２６ｃでの熱交換は面状ヒーター９の運転コストの削減にもつながる。
図２の装置で外気２５℃のとき、排気ダクト２６ｃでの熱交換だと処理槽１０下部の排気ダクト２６ｃ近傍では約４０℃で保温することができる。
また、排気ダクト２６ｃを配設することにより、面状ヒーター９は処理槽１０以外への放熱を削減することができる。
【００２９】
また、本実施の形態では、排気ファン１６は脱臭部２７より下流側に構成されている。
これは、理想気体の状態式である
ｐｖ＝ＲＴ
（但し、ｐ：圧力，  ｖ：体積，  Ｒ：気体定数，  Ｔ：絶対温度（Ｋ））
等の考えを反映して構成したものである。
気体は一般的に熱を加えると等圧状態では体積が膨張するため、常温では体積が膨張していないので、容易に脱臭部２７を通過するが、高温状態では脱臭部２７で大きな抵抗を発生し、容易に通過できなくなる。
そのため、図５（ａ）のように排気ファン１６を脱臭部２７の上流側に構成すると脱臭部２７内を加圧する形となり、脱臭部２７の抵抗により進めない気体は排気口１８と脱臭部２７との間に発生した隙間から漏れてしまい、結果臭気が発生してしまう。
このようなことから、図５（ｂ）のように排気ファン１６を脱臭部２７より下流側に設けて脱臭部２７内を減圧し、途中の隙間から臭気が漏れないような構成としている。
【００３０】
また、本実施の形態においては、脱臭部２７を処理槽の右側板１４側に、排気ダクト２６ｂを処理槽の左側板１５側に構成している。
このように構成すると、基材１２に与える熱源は処理槽１０下部に取り付けた面状ヒーター９だけでなく、処理槽１０の両側板、排気ダクト２６ａによる上方からも熱を与えることができる。
これにより、基材１２の温度を四方全体から効率良く与えることができ、温度むらを削減することで処理効率の向上を図ることができる。
さらに、処理槽１０の下側に排気ダクト２６ｃを構成すると、より効果的である。
また、排気ダクト２６ｂは、処理槽側板１４，１５のうち少なくともいずれか一方に設けられていればよく、処理槽側板１４，１５のうち少なくともいずれか一方においては排気ダクト２６ｂのみで処理槽１０を加熱するとよい。
これにより処理槽側板１４，１５にヒーターを設ける必要がなくなり、装置構成の簡素化及びコストの低減を図ることができる。
ここで、脱臭部２７や排気ダクト２６ｂは処理槽１０（処理槽側板１４，１５）に直接当てず、隙間（または介在部材）を設けた方がよい。
それは、つぎのような理由による。すなわち、脱臭部２７内の排気や排気ダクト２６ｂ内の排気は温度が高温であり、処理槽に直接当てると空気のような熱伝導率が低いものを通らないため処理槽側板１４，１５を高温に温めてしまうこととなる。このような結果、廃棄物を処理する微生物が高温により死滅してしまう等の理由による。
【００３１】
そして、排気ダクト２６ｂは処理槽の左側板１５を介して効率良く基材１２に熱を与えるため、本実施の形態では、排気ダクト２６ｂを処理槽の左側板１５側面を５〜１０ｍｍの隙間を設けて通過させる構成としている。
処理槽の左側板１５側面を通過させるのは、空気の熱伝導率は大変低いため、排気ダクトを処理槽側板から５〜１０ｍｍ以上離してしまうと、排気ダクトから伝熱する熱を十分に伝えられないためである。
そのため、図６（ａ），図６（ｂ），図６（ｃ），図６（ｄ）に示すように、基材１２が担持されている箇所と対応する個所を通るようにすることが望ましい。つまり、排気ダクト２６ｂと、攪拌羽根５による攪拌領域と、を攪拌軸６の軸方向に投影してなるそれぞれの投影部が、少なくとも一部領域重なっているとよい。これにより、側壁からも積極的に処理槽１０に熱を与えることができ、さらに、その熱を効率良く基材１２に与えることが可能である。
【００３２】
また、排気ダクト２６ｂは処理槽側板左１５側に構成しているため廃棄物処理装置の幅方向のスペースを必要とする。そこで、省スペース化のために攪拌軸６を軸支する軸受け７の出っ張り部分よりも幅方向に突出することのない排気ダクト２６にする。つまり、排気ダクト２６ｂは、処理槽の左側板１５に略直交する方向において、処理槽の左側板１５から軸受け７の端部近傍までの領域に配設するようにする。
ここで、排気ダクト２６ｂの断面形状は、円形状にするよりも、装置の幅方向に突出することの少ない略長方形などの形状とした方が、通気面積を広くとれるので有効である。
このように、排気ダクト２６ｂを構成することにより、排気ダクト２６ｂを用いるために廃棄物処理装置の幅を広げる必要がなくなるため、省スペース化を図ることができ、結果的に材料の削減につながり、装置のローコスト化が可能になる。
【００３３】
また、排気ダクト２６ｂを設けてある空間を処理槽の左側板１５（の外壁）と外装カバー８とで囲い、排気ダクト２６ｂの空間を閉じられた室（閉空間）にしてもよい。
閉じられた室にすることで伝熱した気体を閉じ込めることができ、処理槽側板左１５へ与える熱のむらを減らすことができ、処理槽の左側板１５全体をより効果的に暖められる。
さらに、外気との境をつけることで廃棄物処理装置の保温にもつながり、排熱を利用して温めるため運転コストの削減も図れ、運転効率を向上させることができる。
また、処理槽１０内に、複数の槽に仕切る仕切り板１１（１１ａ、１１ｂ）が備えられ、投入された廃棄物が順次オーバーフローし、投入口２２と反対側の処理槽１０ｄに分解処理後の残渣物を取り出すための排出口３５が備えられている。このような構成のもとで、処理槽１０内に設けられた排気ダクト２６ａの外側には処理槽１０内の気体の循環通路を構成するダクト３２が設けられている。
また、このダクト３２内を仕切る隔壁３８によって仕切られた一方の通気路に処理槽内への吸気を加熱する吸気熱交換部３６と、もう一方の通気路に槽内を循環する気体を加熱する循環熱交換部３７が設けられている。
また、吸気熱交換部３６は外気を取り込む外気口３９と、他端に処理槽１０内に吸気する吸気口１７を設け、処理槽１０内への吸気を加熱する構成とされている。
また、前記投入口２２の側に処理槽１０内の気体をダクト３２に吸い込む気体の吸い込み口３３を設け、前記排出口３５の側に処理槽１０内の気体を循環する循環ファン３４が設けられている。
【００３４】
このような構成により、投入口２２から１槽目の処理槽１０ｂに投入された廃棄物は撹拌羽根５を有する撹拌軸６を回転させることにより、処理槽１０内に充填された基材１２と万遍なく撹拌混合されて分解処理が始まる。
１槽目の処理槽１０ｂで分解処理された処理物が増えてくると処理槽１０内に設けられた仕切り板１１ａ、１１ｂからオーバーフローした処理物は、２槽目の処理槽１０ｃ、３槽目の１０ｄに移動する。
そして、３槽目の処理槽１０ｄに処理物が蓄積されると、排出蓋４０を開けて排出口３５から処理物を回収することができる。
また、排出蓋４０にはマグネット４１が取り付けられており、排出蓋を開けることで、排出蓋に取り付けられたマグネット４１が排出蓋開閉検知センサー４２から離れ、排出蓋開閉検知センサーが切れることで排出蓋が開けられたことを制御部２３は検出できる。
排出蓋４０を開けた時に撹拌モーター１が回転しているときは停止する。
処理物の排出口３５からの排出は、排出スタートスイッチ（図示せず）を押すことで撹拌モーター１が回転し、撹拌羽根５が３槽目の処理槽１０ｄの処理物を排出口３５から外部へ押し出すことで排出できる。
この時の撹拌モーターの回転は、正方向回転と逆方向回転を交互に繰り返すことでも可能であり、回転時間については一定時間の回転でも可能であり、スイッチの操作で排出動作を停止することでも可能である。
本実施の形態では、排出口３５に対して処理物をかきあげる方向での一方向の回転が排出時間が短く好適である。
【００３５】
ここで、排出蓋４０に取り付けたマグネット４１と、排出蓋開閉検知センサー４２とを備える排出蓋開閉検知手段は、処理槽１０に取り付けた磁気に反応する磁気センサーで構成されている。
しかし、これは排出蓋４０に突部を設け、その突部を処理槽１０側に取り付けた光学センサーで検知するようにしてもよい。
また、排出蓋開閉検知センサー４２は、本実施の形態においては、非接触式の磁気検知センサーを用いているが、機械式マイクロスイッチであってもよい。
また、排出蓋開閉検知センサー４２の取り付け位置は、排出蓋４０側あるいは処理槽１０側あるいは排出蓋４０と処理槽１０のどちらか一方に検知センサーを取り付け、他方に検知部材を取り付けても可能である。
【００３６】
また、廃棄物が投入される１槽目の処理槽１０ｂは、投入された廃棄物が水分を含んでいたり、分解処理に伴う水分の発生により含水率が２０〜６０％と高めで、微生物が活性し易い環境とされている。
しかし、３槽目の処理槽１０ｄから排出される処理物は乾燥状態の方が廃棄処理が容易となるため乾燥させることが望ましい。
また、吸気熱交換部３６では外気口３９から吸気された外気が、脱臭部２７から発生した高温（２８０℃前後）の空気と熱交換されて処理槽１０内へと加熱吸気される。
また循環熱交換部３７では循環ファン３４によって吸い込まれた処理槽１０内の気体が、脱臭部２７から発生した高温（２８０℃前後）の空気と熱交換されて処理槽１０内の気体を加熱することができる。
さらに、循環ファン３４によって処理槽１０内の気体が循環されることにより、処理槽１０内の気体温度が上昇し、基材１２及び処理物からの水分蒸発が促される。これにより、処理槽１０内の気体１ｍ3当たりに含まれる水分量が増えて、混合物中に含まれる水分を蒸発させて混合物の外部へ排出する能力が向上する。
【００３７】
また、ここでは、前記投入口２２の側に処理槽１０内の気体をダクト３２に吸い込む気体の吸い込み口３３を設け、前記排出口３５の側に処理槽１０内の気体を循環する循環ファン３４が設けられている。これにより、混合物の水分量の低い側から高い側に向かって通気させることで、３槽目の処理槽１０ｄに蓄積された処理物にダクト３２と処理槽１０内の気体を熱交換させた直後の気体を通気させることができる。このため、処理槽１０内の気体温度が上昇し３槽目の処理槽１０ｄに蓄積された処理物からの水分蒸発が促されるため、より乾燥させることができる。
したがって、３槽目の処理槽１０ｄに蓄積された処理物を排出口３５から取り出す際に、上記のように処理物が乾燥しているため廃棄処理が容易になる。
【００３８】
さらに、本実施の形態においては、図２に示されるように、処理槽１０内に設けられた排気ダクト２６ａの外側に、処理槽１０内の気体の循環通路を構成するダクト３２が設けられている。そして、前記投入口２２の側に処理槽１０内の気体をダクト３２に設けられた気体の吸い込み口３３は開口部を上方に向ける構成とされている。
上記構成にすることで、基材１２と投入された廃棄物を混合撹拌したときの処理物が気体の吸い込み口３３から入ってしまうことを防止することができる。
【００３９】
以上のような廃棄物処理装置において、本発明の特徴的構成を適用した本実施の形態におけるエアーカーテンの構成例について説明する。
図７に、本実施の形態における廃棄物処理装置を正面から見たときのエアーカーテンによる構成例を示す。
図８に、本実施の形態における廃棄物処理装置の上面から見たときのエアーカーテンによる構成例を示す。
本実施の形態においては、図１及び図７に示されるように、廃棄物処理装置の左上面外装カバー５０の側壁５１に、エアーカーテン気流の吹出し口４７が設けられている。
また、他方の右上面外装カバー５２の側壁５３にエアーカーテン気流の吸引口４８が設けられている。
また、エアーカーテン気流を形成するために空気を送風する送風機４６が設けられ、送風機４６と吹出し口４７の間に空気を整流化する整流ノズル４９が設けられている。
また、図１及び図８に示されるように、吸引口４８から吸引した空気を吹出し口４７に循環する循環ダクト５４が設けられている。
この循環ダクト５４に、循環送風機５５を設けることにより、空気の循環をアシストできると共に、エアーカーテン気流の整流化の効率がアップする。
また、送風機４６及び循環送風機５５を駆動することによって、送風機４６で送風された空気を整流ノズル４９で整流化し、吹出し口４７から吹出して吸引口４８から吸引させる。
これにより、投入口２２を覆う外気のエアーカーテン気流が作り出され、投入口２２から立ちのぼる臭気が周囲へ拡散することを防止することができる。
さらに、吸引口４８から吸引された空気は、循環ダクト５４を介して吹出し口４７に循環されるため、投入口２２から漏れ出た臭気がエアーカーテン気流に混ざっても、周囲へ拡散することを防止できる。
【００４０】
また、外装カバー８の一部である左上面外装カバー５０及び右上面外装カバー５２は、エアーカーテン気流の吹出し口４７、吸引口４８、循環ダクト５４の構成部を兼ねている。
さらに、外装カバー８の一部である左上面外装カバー５０及び右上面外装カバー５２は、エアーカーテン気流の循環経路の構成部も兼ねている。
このため、エアーカーテンを形成するための専用の送気ダクトや、空気を循環させる循環ダクト等を別途構成する必要がなく、部品点数の増加によるコストアップや、ダクトを設けるための新たなスペースによる装置の大型化を抑えることが可能となる。
また、図７に示すように、エアーカーテン気流の吸引口４８は、排気口１８側に設けられる。これにより、エアーカーテン気流の流れと、処理槽内の空気の流れ方向が同じとなり、エアーカーテン気流や処理槽内の空気の流れに乱れを生じさせないようにすることができる。
【００４１】
また、図８では循環送風機５５を循環ダクト５４内の吸引口４８側に設けた構成としているが、循環送風機５５の位置は循環経路内の空気の循環をアシストできる位置であればいずれの場所でも良い。
例えば、図９に示すように、循環送風機５５の位置は循環ダクト５４の外側や循環ダクト５４内の吹出し口４７側に構成してもよい。
また、図１０に示すように吸引口側に循環送風機５５を設けた構成としても良い。これにより、空気の循環をアシストできるとともに、エアーカーテン気流の整流化の効率アップを図ることが可能となる。さらに循環送風機５５及び循環送風機取り付け部材を循環ダクト５４側に臨ませて斜めに取り付けることにより、循環ダクト５４への空気の循環をスムーズに行うことも可能である。
また、本実施の形態において、送風機４６は２個設けた構成としているが、２個に限定するものではない。
送風機４６及び循環送風機５５は１個または３個以上でもよく投入口の大きさや送風機の風量、エアーカーテン能力及びコスト等を考慮して適宜変更することができる。
【００４２】
さらに、図１１に示すように、エアーカーテンの気流の流れを廃棄物処理装置の手前側（使用者側）から奥側にすることにより、さらに好適な構成を得ることができる。
これにより、処理槽内からの臭気が投入口２２から多少漏れても、エアーカーテンによって、臭気は使用者から遠ざかる方向に吸い込まれていくため、使用者が臭気によって不快な思いをすることを防止できる。
また、図１２に示すように、投入蓋２１の回転軸部に循環ダクト５４を設けることによっても、さらに好適な構成を得ることができる。
これにより、投入蓋２１で循環ダクト５４を兼ねることにより部品点数を削減することが可能となりコストダウンを図れるほか、投入口２２のスペースを大きくすることができるため、使い勝手がさらに向上する。
【００４３】
また、廃棄物処理装置の投入口２２から新たに生ごみを投入する際において、投入蓋２１を開くと、送風機４６及び循環送風機５５の駆動を開始するようにすることにより、さらに好適な構成を得ることができる。
その際、投入蓋２１に取り付けたマグネット１９が投入蓋開閉検知センサー２０から離れ、投入蓋２１が開かれたことを検知し、送風機４６及び循環送風機５５の駆動を開始する構成を採ることができる。
これにより、送風機４６及び循環送風機５５を常に駆動させないので、電気代を低く抑えることが可能となる。
また、エアーカーテン気流の循環ダクト５４内に脱臭手段を設けることにより、さらに好適な構成を得ることができる。
これにより、投入口２２から立ちのぼった臭気がエアーカーテン気流に混ざっても、循環する気流を脱臭することによって、エアーカーテンによる臭気の拡散防止機能を向上させることができる。
【００４４】
また、図１３に示すように構成することで、さらに好適な構成を得ることができる。
図１３（ａ）はシャッターが閉じた状態の模式図であり、図１３（ｂ）はシャッターが開いた状態の模式図である。
図１３において、エアーカーテン気流吹出し口４７を開閉するシャッター５６ａ及びエアーカーテン気流吸引口４８を開閉するシャッター５６ｂを設けて、投入蓋２２の開閉に連動してシャッター５６ａ，５６ｂを開閉させるように構成する。
すなわち、投入蓋２１が開くとエアーカーテン気流吹出し口４７に設けたシャッター５６ａ及びエアーカーテン気流吸引口４８の設けたシャッター５６ｂが連動して開き、投入蓋２１が閉じられると、シャッター５６ａ及び５６ｂが連動して閉まるように構成する。これにより、投入蓋２１が閉じられた状態の時に雨水の浸入を防ぐことが可能となる。
また、吹出し口４７及び吸引口４８の開口部に網目状の部材を設けることによっても、さらに好適な構成を得ることができる。これにより、吹出し口４７及び吸引口４８の開口部からごみ等が入ることを防止することができる。
【図面の簡単な説明】
【００４５】
【図１】本発明の実施の形態における廃棄物処理装置の外装カバー装着時の概略斜視図である。
【図２】本発明の実施の形態における廃棄物処理装置の構成を示す概略斜視図である。
【図３】図２のＡ視からみた廃棄物処理装置の概略断面図である。
【図４】本発明の実施の形態における廃棄物処理装置を上面からみたときの通気経路を示す模式図である。
【図５】本発明の実施の形態における廃棄物処理装置の脱臭部と排気ファンとの位置を示す模式図である。
【図６】本発明の実施の形態における廃棄物処理装置の配管構成を示す図であり、（ａ）〜（ｄ）はその配管構成の種々の変形例を示す模式図である。
【図７】本発明の実施の形態における廃棄物処理装置の正面から見たときのエアーカーテン気流構成を示す図である。
【図８】本発明の実施の形態における廃棄物処理装置の上面から見たときのエアーカーテン気流構成を示す図である。
【図９】本発明の実施の形態における廃棄物処理装置の上面から見たときのエアーカーテン気流構成の種々の変形例を示す模式図である。
【図１０】本発明の実施の形態における廃棄物処理装置の上面から見たときのエアーカーテン気流構成の変形例を示す模式図である。
【図１１】本発明の実施の形態における廃棄物処理装置の上面から見たときのエアーカーテン気流構成の変形例を示す模式図である。
【図１２】本発明の実施の形態における廃棄物処理装置の上面及び側面から見たときの循環経路構成の変形例を示す模式図である。
【図１３】本発明の実施の形態における廃棄物処理装置の吹出し口と吸引口に設けたシャッターの構成を示す模式図である。
【図１４】従来例である特許文献１における生ごみ処理機での臭気の外部へ拡散するのを防止する構成の説明図である。
【図１５】従来例である特許文献２における乾燥装置での装置内部を外気と遮断する構成の説明図である。
【符号の説明】
【００４６】
１：駆動モーター
２：小スプロケット
３：チェーン
４：大スプロケット
５：撹拌羽根
６：撹拌軸
７：撹拌軸を支持する軸受け
８：外装カバー（枠体）
９：面状ヒーター（過熱手段）
１０、１０ｂ、１０ｃ、１０ｄ：処理槽
１０ａ：槽部
１１：仕切り板
１２：基材
１３：基材含水率検知センサー
１４：処理槽の右側板（側壁）
１５：処理槽の左側板（側壁）
１６：排気ファン
１７：吸気口
１８：排気口
１９：投入蓋に取り付けたマグネット
２０：投入蓋開閉検知センサー
２１：投入蓋
２２：投入口
２３：制御部
２４：通気口
２５：除塵フィルタ
２６、２６ａ、２６ｂ、２６ｃ：排気ダクト（管路）
２７：脱臭部（脱臭手段）
２７ａ：触媒ヒーター
２７ｂ：酸化触媒
２８：温度センサー
２９：外気取り入れ口
３０：底板
３１：通気ファン
３２：ダクト
３３：気体吸い込み口
３４：循環ファン
３５：排出口
３６：吸気熱交換部、
３７：循環熱交換部
３８：隔壁
３９：外気口
４０：排出蓋
４１：排出蓋に取り付けたマグネット
４２：排出蓋開閉検知センサー
４３：処理物搬送ガイド
４４：排出カバー
４５：排出カバー施錠部
４６：送風機
４７：エアーカーテン気流吹出し口
４８：エアーカーテン気流吸引口
４９：整流ノズル
５０：左上面外装カバー
５１：左上面外装カバー側壁
５２：右上面外装カバー
５３：右上面外装カバー側壁
５４：循環ダクト
５５：循環送風機
５６ａ、５６ｂ：シャッター
【図１】
2007069168.tif 000003
【図２】
2007069168.tif 000004
【図３】
2007069168.tif 000005
【図４】
2007069168.tif 000006
【図５】
2007069168.tif 000007
【図６】
2007069168.tif 000008
【図７】
2007069168.tif 000009
【図８】
2007069168.tif 000010
【図９】
2007069168.tif 000011
【図１０】
2007069168.tif 000012
【図１１】
2007069168.tif 000013
【図１２】
2007069168.tif 000014
【図１３】
2007069168.tif 000015
【図１４】
2007069168.tif 000016
【図１５】
2007069168.tif 000017